(57)【要約】【課題】  医療従事者が手書きで記載した看護実績を正確かつ迅速に端末装置へ入力することを目的とする。【解決手段】  患者を対象とした看護行為を実施した内容が記載されている場所付近を読取部４にて読み取って、画像データ生成部５にて画像データを生成する。そして、画像データ文字が含まれる場合に、その文字と一致する患者情報が記憶部３に記憶されているか否かを判定部７にて判断して、記憶されている場合に、制御部２は、画像データ生成部５にて生成した画像データを患者情報に紐付けて記憶部３に格納する。これにより、医療従事者は、看護実績とともに患者情報を自身の腕や手、紙などに記載しておくだけで、看護実績を示す画像データの入力を実施することができる。【選択図】        図１
2009157759.tif 000002
【特許請求の範囲】
【請求項１】
患者の氏名および／または前記患者の病室を示す患者情報を記憶する記憶部と、
前記患者を対象とした看護行為を実施した内容が記載されている場所付近を読み取るための読取部と、
前記読取部にて読み取った画像を基に画像データを生成する画像データ生成部と、
前記画像データ生成部にて生成した前記画像データに文字が含まれているか否かを解析する画像解析部と、
前記画像データに前記文字が含まれると前記画像解析部にて解析した場合に、前記文字と一致する患者情報が前記記憶部に記憶されているか否かを判定する判定部と、
前記画像解析部にて解析した文字と一致する患者情報が前記記憶部に記憶されていると前記判定部にて判断した場合に、前記画像データを前記患者情報に紐付けて前記記憶部に格納する制御部と、
を具備したことを特徴する看護支援システム。
【発明の詳細な説明】
【技術分野】
【０００１】
本発明は、病院などの医療機関において、医師や看護師などの医療従事者に対する看護業務を支援するための看護支援システムに関する。
【背景技術】
【０００２】
一般に病院では、看護行為を効率的に進めるために看護支援システムが用いられている。従来の看護支援システムでは、医師や看護師などの医療従事者が携帯端末装置（例えば、ＰＤＡ（Ｐｅｒｓｏｎａｌ  Ｄｉｇｉｔａｌ  Ａｓｓｉｓｔａｎｔｓ）や携帯電話など）を利用することにより、看護行為を実施した内容（看護実績）などのデータの入力が行われている。ところが、携帯端末装置の操作が遅い医療従事者は、携帯端末装置の操作によるデータの入力を病室にて行うことに多くの時間を費やしてしまい、作業効率が悪くなってしまうことがあった。そのため、携帯端末装置の操作が遅い医療従事者は、とりあえず病室では、自身の腕や手、ノートなどの紙に手書きしていた。その後、医療従事者は、スタッフルームに戻ってから、スタッフルームに設置されているパソコンなどの端末装置を使用して、自身の腕や手、紙に書かれた看護実績を見ながらデータの入力を行っていた。
【０００３】
ところで、医療従事者は、看護実績を手書きした後すぐにスタッフルームへ戻ってくることが少なく、別の病室に行って他の患者に対して看護行為を実施してからスタッフルームへ戻ってくることが多い。そのため、医療従事者自身の腕や手に看護実績を手書きした場合には、時間が経過すると、記載した内容が消えたり消えかかったりしてしまうことがあった。これにより、医療従事者は、スタッフルームにてデータを正確に入力することができなくなってしまうことがあった。このような間違いをできるだけ減らすために、特許文献１に記載の帳票読取システムのような技術を適用した看護支援システムが提案されている。
【０００４】
特許文献１に記載の帳票読取システムは、帳票への筆記と筆跡情報の取得とを同時に行う機能を備えるデジタルペンと、デジタルペンに接続されている帳票読取装置とを備えて構成されている。また、筆記用の帳票には、特殊な配置形態の複数のドット（黒点）からなるドットパターンが印刷されている。帳票に文字を記載する際にデジタルペンは、ペン形のケースの内部にカメラとペン部とを備えて構成されている。デジタルペンは、帳票の紙面にインクを付着させ、文字や図形などをペン部により描画するようにしている。また、デジタルペンは、ペン部による描画に併せて、帳票のドットをカメラにより光学的に読み取り、帳票上の位置を検出する。デジタルペンは、検出した帳票上の位置から筆跡を認識して筆跡情報として帳票読取装置へ出力する。帳票読取装置は、デジタルペンから出力された筆跡情報から文字単位で文字イメージを作成し、作成した文字イメージを記憶する。そして、帳票読取装置は、丸印などの予め設定しておいた記号を認識することによって、テキスト化されたテキストデータフィールド部と手書きのイメージデータフィールド部とに文字イメージを分割して出力している。これにより、利用者は、文字と絵とが混在した帳票に対してテキストフィールドとイメージフィールドとを使い方に応じて区分して文字を自由に手書き入力することができる。
【特許文献１】特開２００６−１３４１０５号公報
【０００５】
ところで、特許文献１に記載の帳票読取システムが適用された看護支援システムを使用した場合、医療従事者が記載した内容を含むテキストフィールドおよびイメージフィールドを看護支援システムの画面（例えば、電子カルテ画面など）に入力させるには、医療従事者は、テキストフィールドおよびイメージフィールドを各項目の入力欄へ手動で移動させる必要がある。しかしながら、携帯端末装置の操作が遅い医療従事者は、テキストフィールドおよびイメージフィールドを各項目の入力欄へ患者一人一人に対し手動で移動させることになるので、時間を費やしてしまうという問題があった。このことから、特許文献１に記載の帳票読取システムが適用された看護支援システムを使用しても、携帯端末装置の操作が遅い医療従事者は、携帯端末装置を操作してデータの入力を行う作業の効率を向上させることができないという問題があった。
【０００６】
また、帳票から読み込んだテキストフィールドおよびイメージフィールドを各項目の入力欄へ手動で移動させる場合、医療従事者は、テキストフィールドおよびイメージフィールドに表示されている内容を見ながら各項目の入力欄へ移動させることになるので、テキストフィールドおよびイメージフィールドを本来移動すべき患者の入力欄へ移動させずに、異なる患者の入力欄へ移動させてしまう可能性があった。このことから、電子カルテ画面に表示されている看護実績が別の患者の看護実績になるケースが生じてしまうという問題があった。
【発明の開示】
【発明が解決しようとする課題】
【０００７】
本発明は、このような問題を解決するために成されたものであり、医療従事者が手書きで記載した看護実績を正確かつ迅速に端末装置へ入力することを目的とする。
【課題を解決するための手段】
【０００８】
上述した課題を解決するために、本発明の看護支援システムは、患者を対象とした看護行為を実施した内容が記載されている場所付近を読取部にて読み取って、画像データ生成部にて画像データを生成する。そして、画像データに文字が含まれる場合に、その文字と一致する患者情報が記憶部に記憶されているか否かを判定部にて判断して、記憶されている場合に、画像データを患者情報に紐付けて記憶部に格納するようにしている。
【発明の効果】
【０００９】
上記のように構成した本発明によれば、読み取った画像データが看護実績を示す画像データとして患者情報に紐付けられて記憶部に格納される。これにより、医療従事者は、看護実績とともに患者情報を自身の腕や手、紙などに記載しておくだけで、看護実績を示す画像データの入力を実施することができる。従って、医療従事者は、看護実績を正確かつ迅速に端末装置へ入力することができる。
【発明を実施するための最良の形態】
【００１０】
以下、本発明の一実施形態を図面に基づいて説明する。本実施形態による看護支援システムのブロック図を図１に示す。同図に示すように、看護支援システム１は、制御部２、記憶部３、読取部４、画像データ生成部５、画像解析部６、判定部７を備えて構成されている。
【００１１】
制御部２は、看護支援システム１の各構成要素を後述するように制御する。記憶部３は、図２に示すように、患者番号領域２１、患者名領域２２、患者名（カナ）領域２３、病室番号領域２４、担当者名領域２５、データファイル名領域２６を格納している。ここで、各項目領域２１〜２６は、患者番号領域２１毎に紐付けられている。患者番号領域２１には、患者を識別するための番号を示す患者番号情報が予め格納されている。患者名領域２２には、患者の氏名を示す患者名情報（特許請求の範囲の患者情報に該当する）が予め格納されている。患者名（カナ）領域２３には、患者の氏名（カナ）を示す患者名（カナ）情報（特許請求の範囲の患者情報に該当する）が予め格納されている。病室番号領域２４には、患者の病室を示す病室情報（特許請求の範囲の患者情報に該当する）が予め格納されている。担当者名領域２５には、患者に対して看護行為を実施する担当医療従事者を示す担当者情報が予め格納されている。データファイル名領域２６には、画像データ生成部５にて生成された画像データのファイル名を示すファイル名情報が格納される。
【００１２】
ここで、ファイル名情報は、看護実績を登録するときに、その患者情報に対応する患者番号情報と紐付けてデータファイル名領域２６に格納される。また、ファイル名は、記憶部３から取得した患者番号情報の患者番号と画像データを生成した医療従事者の頭文字と画像データ生成部５が画像データを生成した日時とから構成される。医療従事者は、対象患者、画像データを生成した医療従事者、および画像データを生成した日時をファイル名により把握することができる。また、記憶部３には、画像データ生成部５が生成した画像データを格納するためのフォルダが設けられている。
【００１３】
読取部４は、例えば、イメージスキャナなどの読取装置であり、看護実績が記載されている場所（例えば、医療従事者自身の腕や手、紙）付近を読み取るためのものである。医療従事者は、読取部４を看護実績が記載されている場所に近づける。そして、医療従事者が図示しない操作部により読取操作を行うと、制御部２は読取部４を動作させ、読取部４は、読み取りが可能な領域の画像を読み取る。読取部４の具体的な動作は図３とともに説明する。
【００１４】
図３は、看護実績を含む画像を読み取ってから画像データを生成するまでの推移を示す図であり、図３（ａ）は、読み取るべき対象となる看護実績が記載された手を示す図、図３（ｂ）は、読み取った画像を示す図、図３（ｃ）は、読み取った画像を所望の画像データに分離して看護実績を示す各画像データを生成した状態を示す図である。医療従事者が自身の手に看護実績を記載した場合に、医療従事者は、読取部４を自身の手に近づけ、図示しない操作部により読取操作を行う。読取部４は、図３（ａ）に示す医療従事者自身の手３１の記載領域ａ〜ｄを含む読取領域３２を読み取る。読取部４が読み取った画像は、図３（ｂ）に示す画像Ａとなる。ここで、記載領域ａには、「３０１ヤマダバイタルＯＫ」という文字が記載されている。また、記載領域ｂには、「鈴木体温上がる（昼食前）」という文字が記載されている。また、記載領域ｃには、「ＯＫ」という文字が記載されている。また、記載領域ｄには、波線のような絵が記載されている。
【００１５】
画像データ生成部５は、読取部４が読み取った画像Ａから看護実績を含む画像データを生成する。ここで、生成される画像データの形式は、本実施形態で使用しているＢｉｔ  ＭａＰ（ＢＭＰ）形式やＪｏｉｎｔ  Ｐｈｏｔｏｇｒａｐｈｉｃ  Ｅｘｐｅｒｔｓ  Ｇｒｏｕｐ（ＪＰＥＧ）形式など、パソコンなどの端末装置で参照することができる画像形式を使用している。具体的には、画像データ生成部５は、読取部４が読み取った画像Ａから記載領域ａ〜ｄに対応する画像データａ’〜ｄ’を生成する。ここで、制御部２は、２００７１１０８１３１０ａ．ｂｍｐ、２００７１１０８１３１５ｂ．ｂｍｐ・・・といった画像データを生成した日時をファイル名で把握することができるように、画像データａ’〜ｄ’のファイル名を仮に設定する。
【００１６】
画像解析部６は、画像データ生成部５にて生成された画像データａ’〜ｄ’に文字が含まれているか否かを解析する。画像データａ’〜ｄ’に文字が含まれていないと画像解析部６にて判断した場合には、制御部２は、画像データが看護実績であると確定できないもの（例えば、単なる画像や読取部４における読み取りエラーの画像など）とし、その画像データを記憶部３に設けられたフォルダに格納する。
【００１７】
具体的には、画像データｄ’には文字が含まれていないと画像解析部６にて判断し、制御部２は、画像データｄ’に文字が含まれていないことを示す「ｕｎｋｎｏｗｎＣ」の文字と画像データ生成部５が画像データｄ’を生成した日時とを用いて、図３（Ｃ）に示すように、ｕｎｋｎｏｗｎＣ＿２００７１１０８１３２０．ｂｍｐというファイル名に画像データｄ’のファイル名２００７１１０８１３２０．ｂｍｐを変更する。これにより、医療従事者は、画像データに文字が含まれていないことと画像データ生成部５が画像データを生成した日時とをファイル名で把握することができる。そして、制御部２は、ファイル名を変更した画像データｄ’を看護実績とは無関係の画像データとして記憶部３に設けられたフォルダに格納する。一方、画像データａ’〜ｃ’には文字が含まれていると画像解析部６にて判断し、画像解析部６は、画像データａ’〜ｃ’に含まれている文字をそれぞれ抽出する。
【００１８】
判定部７は、画像解析部６が抽出した文字と一致する患者情報が記憶部３に記憶されているか否かを判定する。抽出した文字と一致する患者情報が記憶部３に記憶されていないと判定部７にて判断した場合には、制御部２は、画像データ生成部５にて生成された画像データに該当する患者が不明なものであるとし、その画像データを記憶部３に設けられたフォルダに格納する。その際、制御部２は、患者が不明なものであることと画像データ生成部５が画像データを生成した日時とをファイル名で把握することができるように、画像データのファイル名を変更する。
【００１９】
一方、抽出した文字と一致する患者情報が記憶部３に記憶されていると判定部７にて判断した場合には、制御部２は、記憶部３から取得した患者番号情報の患者番号と画像データを生成した医療従事者と画像データ生成部５が画像データを生成した日時とを把握することができるように、画像データのファイル名を変更する。そして、制御部２は、名称を変更した画像データを記憶部３に設けられたフォルダに格納するとともに、フォルダに格納した画像データのファイル名をファイル名情報として患者情報に対応する患者番号情報と紐付けて記憶部３のデータファイル名領域２６に記憶する。
【００２０】
判定部７は、画像解析部６が抽出した文字と一致する患者情報（患者名情報、患者名（カナ）情報、および病室情報のいずれか）が記憶部３に記憶されている否かを判定する。画像データｃ’から抽出した文字「ＯＫ」は患者情報と一致しないので、抽出した文字と一致する患者情報が記憶部３に記憶されていないと判定部７にて判断し、制御部２は、画像データｃ’から抽出した文字が患者情報と一致しないことを示す「ｕｎｋｎｏｗｎＰ」の文字と画像データ生成部５が画像データｃ’を生成した日時とを用いて、図３（Ｃ）に示すように、ｕｎｋｎｏｗｎＰ＿２００７１１０８１３１６．ｂｍｐというファイル名に画像データｃ’のファイル名２００７１１０８１３１６．ｂｍｐを変更する。これにより、医療従事者は、画像データに患者情報が含まれていないことと画像データ生成部５が画像データを生成した日時とをファイル名で把握することができる。そして、制御部２は、ファイル名を変更した画像データｃ’を看護実績とは無関係の画像データとして記憶部３に設けられたフォルダに格納する。
【００２１】
一方、抽出した画像データに含まれている文字と一致する患者情報が記憶部３に記憶されていると判定部７にて判断した場合には、制御部２は、抽出した文字と一致する患者情報を記憶部３から取得し、取得した患者情報に紐付けられている患者番号情報を記憶部３から取得する。画像データａ’から抽出した文字に含まれている「３０１」および「ヤマダ」が病室番号情報および患者名（カナ）情報と一致するので、制御部２は、病室番号情報の「３０１」および患者名（カナ）情報の「ヤマダ」に対応する患者番号情報である「００１」を記憶部３から取得し、取得した患者番号情報「００１」の文字と画像データａ’を生成した医療従事者「佐藤花子」の頭文字「Ｓ」の文字と画像データ生成部５が画像データａ’を生成した日時とを用いて、図３（Ｃ）に示すように、００１Ｓ＿２００７１１０８１３１０．ｂｍｐというファイル名に画像データａ’のファイル名２００７１１０８１３１０．ｂｍｐを変更する。
【００２２】
また、画像データｂ’から抽出した文字に含まれている「鈴木」が患者名情報と一致するので、制御部２は、画像データａ’のケースと同様に、００２Ｓ＿２００７１１０８１３１５．ｂｍｐに画像データｂ’のファイル名２００７１１０８１３１５．ｂｍｐを変更する。これにより、医療従事者は、画像データに患者情報が含まれていることと画像データを生成した医療従事者と画像データ生成部５が画像データを生成した日時とをファイル名で把握することができる。そして、制御部２は、ファイル名を変更した画像データａ’、ｂ’を記憶部３に設けられたフォルダに格納するとともに、フォルダに格納した画像データａ’、ｂ’のファイル名をファイル名情報として患者番号情報と紐付けて記憶部３に記憶する。
【００２３】
図４は、医療従事者が選択した患者の看護実績を表示するための表示画面例を示す説明図である。ファイル名情報が記憶部３に記憶されている状態において、医療従事者が図示しない操作部により看護実績の参照操作を行うと、制御部２は、医療従事者が選択した患者の看護実績を表示画面４０に表示する。具体的には、医療従事者が操作部により患者番号を選択すると、制御部２は、医療従事者が選択した患者番号を検索キーとして記憶部３を検索し、患者番号に対応する看護実績を記憶部３から取得する。そして、制御部２は、記憶部３から取得した看護実績を表示した表示画面４０を出力させる。
【００２４】
表示画面４０は、同図に示すように、患者番号表示欄４１、患者名表示欄４２、患者名（カナ）表示欄４３、病室番号表示欄４４、担当者名表示欄４５、看護実績表示欄４６を含んでいる。患者番号表示欄４１には、医療従事者が看護実績の参照操作にて選択した患者の患者番号が表示される。患者名表示欄４２には、医療従事者が看護実績の参照操作にて選択した患者の氏名が表示される。患者名（カナ）表示欄４３には、医療従事者が看護実績の参照操作にて選択した患者の氏名（カナ）が表示される。病室番号表示欄４４には、医療従事者が看護実績の参照操作にて選択した患者の病室番号が表示される。担当者名表示欄４５には、医療従事者が看護実績の参照操作にて選択した患者を担当する担当医療従事者名が表示される。看護実績表示欄４６には、医療従事者が看護実績の参照操作にて選択した患者に対する看護実績が表示される。また、看護実績表示欄４６には、ファイル日時欄とファイル内容欄とが設けられている。ファイル日時欄には、医療従事者が看護実績の参照操作にて選択した患者と紐付けて記憶部３に格納されている画像データの生成日時が表示される。ここで、制御部２は、ファイル名に含まれている画像データ生成部５が画像データを生成した日時を取得して、取得した画像データを生成した日時をファイル日時欄に表示する。また、ファイル内容欄には、画像データの中身である画像が表示される。
【００２５】
次に、本実施形態による看護支援システム１の動作および本実施形態により登録された看護実績を参照する動作を説明する。図５は、本実施形態による看護支援システム１の動作を示すフローチャートである。図５に示すように、制御部２は、医療従事者により読取操作が行われたか否かの判定を行う（ステップ５０１）。医療従事者により読取操作が行われていないと制御部２にて判断した場合には（ステップ５０１にてＮＯ）、制御部２は、ステップ５０１の処理に戻り、医療従事者により読取操作が行われるまで処理を継続する。
【００２６】
一方、医療従事者により読取操作が行われたと制御部２にて判断した場合には（ステップ５０１にてＹＥＳ）、制御部２は読取部４を動作させ、読取部４は、読み取りが可能な領域の画像を読み取る（ステップ５０２）。制御部２は画像データ生成部５を動作させ、画像データ生成部５は、読取部４が読み取った画像から画像データを生成する（ステップ５０３）。その際、制御部２は、画像データを生成した日時をファイル名で把握することができるように、画像データのファイル名を仮に設定する。
【００２７】
制御部２は画像解析部６を動作させ、画像解析部６は、画像データ生成部５にて生成された画像データを解析する（ステップ５０４）。画像解析部６は、ステップ５０４の処理を基に、画像データ生成部５にて生成された画像データに文字が含まれているか否かの判定を行う（ステップ５０５）。画像データに文字が含まれていないと画像解析部６にて判断した場合には（ステップ５０５にてＮＯ）、制御部２は、画像データに文字が含まれていないことを示す文字と画像データ生成部５が画像データを生成した日時とを用いてファイル名を変更して、看護実績とは無関係の画像データとして記憶部３に格納する（ステップ５０６）。一方、画像データに文字が含まれていると画像解析部６にて判断した場合には（ステップ５０５にてＹＥＳ）、画像解析部６は、画像データに含まれている文字を抽出する（ステップ５０７）。
【００２８】
制御部２は判定部７を動作させ、判定部７は、画像解析部６が抽出した文字と一致する患者情報が記憶部３に記憶されているか否かの判定を行う（ステップ５０８）。画像解析部６が抽出した文字と一致する患者情報が記憶部３に記憶されていないと判定部７にて判断した場合には（ステップ５０８にてＮＯ）、制御部２は、画像解析部６にて抽出した文字が看護実績ではないとし、画像データに患者情報が含まれていないことを示す文字と画像データ生成部５が画像データを生成した日時とを用いてファイル名を変更して、看護実績とは無関係の画像データとして記憶部３に格納する（ステップ５０９）。一方、画像解析部６が抽出した文字と一致する患者情報が記憶部３に記憶されていると判定部７にて判断した場合には（ステップ５０８にてＹＥＳ）、制御部２は、画像解析部６にて抽出した文字が看護実績であるとし、患者情報に対応する患者情報番号と画像データを生成した医療従事者の頭文字と画像データ生成部５が画像データを生成した日時とを用いてファイル名を変更して、画像データを患者情報に紐付けて記憶部３に格納する（ステップ５１０）。その際、制御部２は、画像データのファイル名をファイル名情報として患者情報に対応する患者番号情報と紐付けて記憶部３のデータファイル名領域２６に記憶する。
【００２９】
図６は、本実施形態による看護支援システム１により登録された看護実績を参照する動作を示すフローチャートである。図６に示すように、制御部２は、医療従事者により参照開始操作が行われたか否かの判定を行う（ステップ６０１）。医療従事者により参照開始操作が行われていないと制御部２にて判断した場合には（ステップ６０１にてＮＯ）、制御部２は、ステップ６０１の処理に戻り、医療従事者により参照開始操作が行われるまで処理を継続する。一方、医療従事者により参照開始操作が行われたと制御部２にて判断した場合には（ステップ６０１にてＹＥＳ）、制御部２は、図示しない患者番号選択画面を表示する。
【００３０】
制御部２は、医療従事者により看護実績を表示させたい患者の患者番号が選択されたか否かの判定を行う（ステップ６０２）。医療従事者により看護実績を表示させたい患者の患者番号が選択されていないと制御部２にて判断した場合には（ステップ６０２にてＮＯ）、制御部２は、ステップ６０２の処理に戻り、医療従事者により看護実績を表示させたい患者の患者番号が選択されるまで処理を継続する。一方、医療従事者により看護実績を表示させたい患者の患者番号が選択されたと制御部２にて判断した場合には（ステップ６０２にてＹＥＳ）、制御部２は、医療従事者が選択した患者番号に対応する患者番号情報を記憶部３から取得し（ステップ６０３）、取得した患者番号情報から記憶部３に記憶されている患者情報（患者名情報、患者名（カナ）情報、病室情報、担当者名情報、およびファイル名情報）を取得する（ステップ６０４）。また、制御部２は、記憶部３から取得したファイル名情報に示すファイル名の画像データを記憶部３に設けられているフォルダから取得する。
【００３１】
制御部２は、表示画面４０の患者番号表示欄４１〜担当者名表示欄４５に記憶部３から取得した患者情報を表示する。また、制御部２は、看護実績表示欄４６のファイル日時欄に選択した患者に対応する画像データを生成した日時を表示するとともに、看護実績表示欄４６のファイル内容欄に画像データの中身である画像を表示する（ステップ６０５）。制御部２は、医療従事者が選択した患者の看護実績を表示した後、終了操作が行われたか否かの判定を行う（ステップ６０６）。終了操作が行われたと制御部２にて判断した場合には、（ステップ６０６にてＹＥＳ）、制御部２は処理を終了する。一方、終了操作が行われていないと制御部２にて判断した場合には（ステップ６０６にてＮＯ）、ステップ６０１の処理に戻る。
【００３２】
以上、詳しく説明したように、本実施形態による看護支援システム１は、患者を対象とした看護行為を実施した内容が記載されている場所付近を読取部４にて読み取って、画像データ生成部５にて画像データを生成する。そして、画像データ文字が含まれる場合に、その文字と一致する患者情報が記憶部３に記憶されているか否かを判定部７にて判断して、記憶されている場合に、制御部２は、画像データ生成部５にて生成した画像データを患者情報に紐付けて記憶部３に格納している。これにより、医療従事者は、看護実績とともに患者情報を自身の腕や手、紙などに記載しておくだけで、看護実績を示す画像データの入力を実施することができる。従って、医療従事者は、看護実績を正確かつ迅速に入力することができる。
【００３３】
なお、前述した実施形態では、記憶部３は、患者名領域２２、患者名（カナ）領域２３、病室番号領域２４を格納しているが、これに限定されない。例えば、記憶部３は、患者名領域２２、患者名（カナ）領域２３、病室番号領域２４のうち少なくとも１つを格納するようにしても良い。
【００３４】
また、前述した実施形態では、制御部２は、記憶部３のデータファイル名領域２６に画像データのファイル名を格納し、記憶部３に設けられているフォルダに画像データを格納しているが、これに限定されない。例えば、制御部２は、画像データそのものを患者番号領域２１と紐付けて記憶部３に記憶するようにしても良い。その際、記憶部３は、データファイル名領域２６の代わりに画像データを格納するためのデータ領域を格納し、画像データをそのデータ領域に格納するようにする。
【００３５】
また、前述した実施形態では、表示画面４０は、患者番号表示欄４１、患者名表示欄４２、患者名（カナ）表示欄４３、病室番号表示欄４４、担当者名表示欄４５を含んでいるが、これに限定されない。例えば、表示画面４０は、患者番号表示欄４１、患者名表示欄４２、患者名（カナ）表示欄４３、病室番号表示欄４４、担当者名表示欄４５の少なくとも１つを含むようにしても良い。
【００３６】
また、前述した実施形態では、制御部２は、表示画面４０の看護実績表示欄４６のファイル内容欄に画像データそのものを表示しているが、これに限定されない。例えば、制御部２は、表示画面４０の看護実績表示欄４６のファイル内容欄に画像データをファイル形式で添付するようにしても良いし、画像解析部６で解析した画像データを文字に変換したものを表示するようにしても良い。
【００３７】
その他、看護支援システム１の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３８】
【図１】本実施形態による看護支援システムのブロック図である。
【図２】記憶部の構成例を示す説明図である。
【図３】看護実績を含む画像を読み取ってから画像データを生成するまでの推移を示す説明図である。
【図４】医療従事者が選択した患者の看護実績を表示するための表示画面例を示す説明図である。
【図５】本実施形態による看護支援システムの動作を示すフローチャートである。
【図６】本実施形態による看護支援システムにより登録された看護実績を参照する動作を示すフローチャートである。
【符号の説明】
【００３９】
１    看護支援システム
２    制御部
３    記憶部
４    読取部
５    画像データ生成部
６    画像解析部
７    判定部
２１  患者番号領域
２２  患者名領域
２３  患者名（カナ）領域
２４  病室番号領域
２５  担当者名領域
２６  データファイル名領域
３１  手
３２  読取領域
ａ〜ｄ  記載領域
ａ’〜ｄ’  画像データ
Ａ    画像
４０  表示画面
４１  患者番号表示欄
４２  患者名表示欄
４３  患者名（カナ）表示欄
４４  病室番号表示欄
４５  担当者名表示欄
４６  看護実績表示欄
【図１】
2009157759.tif 000003
【図２】
2009157759.tif 000004
【図３】
2009157759.tif 000005
【図４】
2009157759.tif 000006
【図５】
2009157759.tif 000007
【図６】
2009157759.tif 000008